(57)【要約】【課題】漢字の筆順を表示する機能を備えた電子辞書装置において、辞書検索に伴う見出し語やその説明情報に含まれる漢字の筆順を非常に簡単な操作で知ること。【解決手段】通常辞書検索に従い検索表示された見出し語内容表示画面Ｇにおいて、筆順を知りたい漢字がある場合には、当該所望の漢字に反転カーソルＣを移動表示させてジャンプモードキーにより筆順辞書を先頭にしたジャンプ先辞書ウインドウＷを表示させ、決定キー１４ｃを操作するだけで、前記所望の漢字を先頭に漢字として連続する各文字それぞれの筆順画像が筆順表示画面Ｈとして検索表示されるので、前記見出し語内容表示画面Ｇにて表示された複数漢字からなる漢字文字列であっても、従来の電子辞書装置のように漢和辞典を利用した単漢字毎の内容検索操作による筆順表示を行う必要なく、非常に簡単且つ素早く見出し語などの複数漢字からなる文字列各文字の筆順を調べることができる。【選択図】      図４
2009026007.tif 000002
【特許請求の範囲】
【請求項１】
複数の文字および当該複数の文字それぞれの筆順を記憶する筆順記憶手段と、
複数の見出し語と当該複数の見出し語それぞれの説明情報とを対応付けた複数の見出し語内容を記憶する辞書記憶手段と、
この辞書記憶手段により記憶された任意の見出し語内容を表示部に表示させる見出し語内容表示制御手段と、
この見出し語内容表示制御手段により表示された見出し語内容においてユーザ操作に応じた任意の文字を指定する文字指定手段と、
この文字指定手段により指定された文字が前記筆順記憶手段により記憶された文字である場合に、当該指定の文字の後に連続する文字が前記筆順記憶手段により記憶された文字であるか否かを判断する筆順記憶文字判断手段と、
この筆順記憶文字判断手段により前記指定の文字の後に連続する文字が前記筆順記憶手段により記憶された文字でないと判断された場合には、当該筆順記憶手段により記憶された前記指定の文字の筆順を読み出し前記表示部に表示させ、前記指定の文字の後に連続する文字が前記筆順記憶手段により記憶された文字であると判断された場合には、当該筆順記憶手段により記憶された前記指定の文字から該文字の後に連続する文字までの各文字の筆順を読み出し前記表示部に一覧表示させる筆順表示制御手段と、
を備えたことを特徴とする辞書機能を備えた電子装置。
【請求項２】
複数の文字および当該複数の文字それぞれの筆順を記憶する筆順記憶手段と、
複数の見出し語と当該複数の見出し語それぞれの説明情報とを対応付けた複数の見出し語内容を記憶する辞書記憶手段と、
この辞書記憶手段により記憶された任意の見出し語内容を表示部に表示させる見出し語内容表示制御手段と、
この見出し語内容表示制御手段により表示された見出し語内容において前記筆順記憶手段により記憶された文字をユーザ操作に応じて選択する筆順記憶文字選択手段と、
この筆順記憶文字選択手段により選択された文字の筆順を前記筆順記憶手段により記憶された複数の文字それぞれの筆順の中から読み出し、前記見出し語内容表示制御により表示された見出し語内容と共に前記表示部に表示させる筆順表示制御手段と、
を備えたことを特徴とする辞書機能を備えた電子装置。
【請求項３】
前記見出し語内容表示制御手段により表示された見出し語内容において前記筆順記憶手段により記憶された文字をユーザ操作に応じて選択する筆順記憶文字選択手段と、
この筆順記憶文字選択手段により選択された文字の筆順を前記筆順記憶手段により記憶された複数の文字それぞれの筆順の中から読み出し、前記見出し語内容表示制御により表示された見出し語内容と共に前記表示部に表示させる選択文字筆順表示制御手段と、
をさらに備えたことを特徴とする請求項１に記載の辞書機能を備えた電子装置。
【請求項４】
複数の文字および当該複数の文字それぞれの筆順を記憶する筆順記憶手段と、
複数の見出し語と当該複数の見出し語それぞれの説明情報とを対応付けた複数の見出し語内容を記憶する辞書記憶手段と、
手書き入力部と、
この手書き入力部に入力された手書き文字を文字認識する文字認識手段と、
この文字認識手段により文字認識された文字の前記手書き入力に伴う筆順が、前記筆順記憶手段により記憶された該当する文字の筆順と異なるか判断する筆順判断手段と、
前記文字認識手段により文字認識された文字と部分一致する見出し語を前記辞書記憶手段により記憶された複数の見出し語の中から検索する見出し語検索手段と、
この見出し語検索手段により検索された見出し語を表示部に表示させる見出し語表示制御手段と、
前記筆順判断手段により前記文字認識された文字の手書き入力に伴う筆順が前記筆順記憶手段により記憶された該当する文字の筆順と異なると判断された場合には、当該筆順記憶手段により記憶された該当する文字の筆順を読み出し、前記見出し語表示制御手段により表示された見出し語と共に表示部に表示させる筆順表示制御手段と、
を備えたことを特徴とする辞書機能を備えた電子装置。
【請求項５】
コンピュータを、
複数の文字および当該複数の文字それぞれの筆順を記憶する筆順記憶手段、
複数の見出し語と当該複数の見出し語それぞれの説明情報とを対応付けた複数の見出し語内容を記憶する辞書記憶手段、
この辞書記憶手段により記憶された任意の見出し語内容を表示部に表示させる見出し語内容表示制御手段、
この見出し語内容表示制御手段により表示された見出し語内容においてユーザ操作に応じた任意の文字を指定する文字指定手段、
この文字指定手段により指定された文字が前記筆順記憶手段により記憶された文字である場合に、当該指定の文字の後に連続する文字が前記筆順記憶手段により記憶された文字であるか否かを判断する筆順記憶文字判断手段、
この筆順記憶文字判断手段により前記指定の文字の後に連続する文字が前記筆順記憶手段により記憶された文字でないと判断された場合には、当該筆順記憶手段により記憶された前記指定の文字の筆順を読み出し前記表示部に表示させ、前記指定の文字の後に連続する文字が前記筆順記憶手段により記憶された文字であると判断された場合には、当該筆順記憶手段により記憶された前記指定の文字から該文字の後に連続する文字までの各文字の筆順を読み出し前記表示部に一覧表示させる筆順表示制御手段、
として機能させるようにしたコンピュータ読み込み可能な制御プログラム。
【請求項６】
手書き入力部を備えたコンピュータを、
複数の文字および当該複数の文字それぞれの筆順を記憶する筆順記憶手段、
複数の見出し語と当該複数の見出し語それぞれの説明情報とを対応付けた複数の見出し語内容を記憶する辞書記憶手段、
前記手書き入力部に入力された手書き文字を文字認識する文字認識手段、
この文字認識手段により文字認識された文字の前記手書き入力に伴う筆順が、前記筆順記憶手段により記憶された該当する文字の筆順と異なるか判断する筆順判断手段、
前記文字認識手段により文字認識された文字と部分一致する見出し語を前記辞書記憶手段により記憶された複数の見出し語の中から検索する見出し語検索手段、
この見出し語検索手段により検索された見出し語を表示部に表示させる見出し語表示制御手段、
前記筆順判断手段により前記文字認識された文字の手書き入力に伴う筆順が前記筆順記憶手段により記憶された該当する文字の筆順と異なると判断された場合には、当該筆順記憶手段により記憶された該当する文字の筆順を読み出し、前記見出し語表示制御手段により表示された見出し語と共に表示部に表示させる筆順表示制御手段、
として機能させるようにしたコンピュータ読み込み可能な制御プログラム。
【発明の詳細な説明】
【技術分野】
【０００１】
本発明は、漢字の筆順を表示する機能及び辞書機能を備えた電子装置および制御プログラムに関する。
【背景技術】
【０００２】
従来の電子辞書装置において、辞書検索された見出し語やその説明情報に含まれる任意の漢字について、その筆順を知りたい場合には、当該電子辞書装置に収録されている漢和辞典にジャンプし、対象漢字の説明情報からそこに含まれている筆順の画像を表示させて調べている（例えば、特許文献１参照）。
【特許文献１】特開２００５−２５０９３６号公報
【発明の開示】
【発明が解決しようとする課題】
【０００３】
前記従来の電子辞書装置では、辞書検索された見出し語やその説明情報に含まれる任意の漢字の筆順を知りたい場合、漢和辞典にジャンプして当該対象漢字の説明情報からそこに含まれる筆順を表示させて調べるため、前記見出し語やその説明情報に含まれる１文字単位の漢字でしかその筆順を調べることができない。
【０００４】
このため、例えば複数の漢字からなる熟語が見出し語である場合に、当該見出し語を構成する各漢字それぞれの筆順を知るには、前記漢和辞典による単漢字毎の検索操作を繰り返さなければならない。また、前記辞書検索に伴う見出し語や説明情報の中の対象漢字あるいは漢字列を指定して、直接的にその漢字の筆順を表示させて調べることはできない。
【０００５】
本発明は、このような課題に鑑みなされたもので、辞書検索に伴う見出し語やその説明情報に含まれる漢字の筆順を非常に簡単な操作で知ることが可能になる辞書機能を備えた電子装置および制御プログラムを提供することを目的とする。
【課題を解決するための手段】
【０００６】
請求項１に記載の辞書機能を備えた電子装置は、複数の文字および当該複数の文字それぞれの筆順を記憶する筆順記憶手段と、複数の見出し語と当該複数の見出し語それぞれの説明情報とを対応付けた複数の見出し語内容を記憶する辞書記憶手段と、この辞書記憶手段により記憶された任意の見出し語内容を表示部に表示させる見出し語内容表示制御手段と、この見出し語内容表示制御手段により表示された見出し語内容においてユーザ操作に応じた任意の文字を指定する文字指定手段と、この文字指定手段により指定された文字が前記筆順記憶手段により記憶された文字である場合に、当該指定の文字の後に連続する文字が前記筆順記憶手段により記憶された文字であるか否かを判断する筆順記憶文字判断手段と、この筆順記憶文字判断手段により前記指定の文字の後に連続する文字が前記筆順記憶手段により記憶された文字でないと判断された場合には、当該筆順記憶手段により記憶された前記指定の文字の筆順を読み出し前記表示部に表示させ、前記指定の文字の後に連続する文字が前記筆順記憶手段により記憶された文字であると判断された場合には、当該筆順記憶手段により記憶された前記指定の文字から該文字の後に連続する文字までの各文字の筆順を読み出し前記表示部に一覧表示させる筆順表示制御手段とを備えたことを特徴としている。
【０００７】
請求項２に記載の辞書機能を備えた電子装置は、複数の文字および当該複数の文字それぞれの筆順を記憶する筆順記憶手段と、複数の見出し語と当該複数の見出し語それぞれの説明情報とを対応付けた複数の見出し語内容を記憶する辞書記憶手段と、この辞書記憶手段により記憶された任意の見出し語内容を表示部に表示させる見出し語内容表示制御手段と、この見出し語内容表示制御手段により表示された見出し語内容において前記筆順記憶手段により記憶された文字をユーザ操作に応じて選択する筆順記憶文字選択手段と、この筆順記憶文字選択手段により選択された文字の筆順を前記筆順記憶手段により記憶された複数の文字それぞれの筆順の中から読み出し、前記見出し語内容表示制御により表示された見出し語内容と共に前記表示部に表示させる筆順表示制御手段とを備えたことを特徴としている。
【０００８】
請求項３に記載の辞書機能を備えた電子装置は、前記請求項１に記載の電子辞書装置において、前記見出し語内容表示制御手段により表示された見出し語内容において前記筆順記憶手段により記憶された文字をユーザ操作に応じて選択する筆順記憶文字選択手段と、この筆順記憶文字選択手段により選択された文字の筆順を前記筆順記憶手段により記憶された複数の文字それぞれの筆順の中から読み出し、前記見出し語内容表示制御により表示された見出し語内容と共に前記表示部に表示させる選択文字筆順表示制御手段とをさらに備えたことを特徴としている。
【０００９】
請求項４に記載の辞書機能を備えた電子装置は、複数の文字および当該複数の文字それぞれの筆順を記憶する筆順記憶手段と、複数の見出し語と当該複数の見出し語それぞれの説明情報とを対応付けた複数の見出し語内容を記憶する辞書記憶手段と、手書き入力部と、この手書き入力部に入力された手書き文字を文字認識する文字認識手段と、この文字認識手段により文字認識された文字の前記手書き入力に伴う筆順が、前記筆順記憶手段により記憶された該当する文字の筆順と異なるか判断する筆順判断手段と、前記文字認識手段により文字認識された文字と部分一致する見出し語を前記辞書記憶手段により記憶された複数の見出し語の中から検索する見出し語検索手段と、この見出し語検索手段により検索された見出し語を表示部に表示させる見出し語表示制御手段と、前記筆順判断手段により前記文字認識された文字の手書き入力に伴う筆順が前記筆順記憶手段により記憶された該当する文字の筆順と異なると判断された場合には、当該筆順記憶手段により記憶された該当する文字の筆順を読み出し、前記見出し語表示制御手段により表示された見出し語と共に表示部に表示させる筆順表示制御手段とを備えたことを特徴としている。
【００１０】
請求項５に記載の制御プログラムは、コンピュータを、複数の文字および当該複数の文字それぞれの筆順を記憶する筆順記憶手段、複数の見出し語と当該複数の見出し語それぞれの説明情報とを対応付けた複数の見出し語内容を記憶する辞書記憶手段、この辞書記憶手段により記憶された任意の見出し語内容を表示部に表示させる見出し語内容表示制御手段、この見出し語内容表示制御手段により表示された見出し語内容においてユーザ操作に応じた任意の文字を指定する文字指定手段、この文字指定手段により指定された文字が前記筆順記憶手段により記憶された文字である場合に、当該指定の文字の後に連続する文字が前記筆順記憶手段により記憶された文字であるか否かを判断する筆順記憶文字判断手段、この筆順記憶文字判断手段により前記指定の文字の後に連続する文字が前記筆順記憶手段により記憶された文字でないと判断された場合には、当該筆順記憶手段により記憶された前記指定の文字の筆順を読み出し前記表示部に表示させ、前記指定の文字の後に連続する文字が前記筆順記憶手段により記憶された文字であると判断された場合には、当該筆順記憶手段により記憶された前記指定の文字から該文字の後に連続する文字までの各文字の筆順を読み出し前記表示部に一覧表示させる筆順表示制御手段として機能させることを特徴としている。
【００１１】
請求項６に記載の制御プログラムは、手書き入力部を備えたコンピュータを、複数の文字および当該複数の文字それぞれの筆順を記憶する筆順記憶手段、複数の見出し語と当該複数の見出し語それぞれの説明情報とを対応付けた複数の見出し語内容を記憶する辞書記憶手段、前記手書き入力部に入力された手書き文字を文字認識する文字認識手段、この文字認識手段により文字認識された文字の前記手書き入力に伴う筆順が、前記筆順記憶手段により記憶された該当する文字の筆順と異なるか判断する筆順判断手段、前記文字認識手段により文字認識された文字と部分一致する見出し語を前記辞書記憶手段により記憶された複数の見出し語の中から検索する見出し語検索手段、この見出し語検索手段により検索された見出し語を表示部に表示させる見出し語表示制御手段、前記筆順判断手段により前記文字認識された文字の手書き入力に伴う筆順が前記筆順記憶手段により記憶された該当する文字の筆順と異なると判断された場合には、当該筆順記憶手段により記憶された該当する文字の筆順を読み出し、前記見出し語表示制御手段により表示された見出し語と共に表示部に表示させる筆順表示制御手段として機能させることを特徴としている。
【発明の効果】
【００１２】
本発明によれば、辞書検索に伴う見出し語やその説明情報に含まれる漢字の筆順を非常に簡単な操作で知ることが可能になる辞書機能を備えた電子装置および制御プログラムを提供できる。
【発明を実施するための最良の形態】
【００１３】
以下図面により本発明の実施の形態について説明する。
【００１４】
（第１実施形態）
図１は、本発明の実施形態に係る手書き入力機能付き電子辞書装置１０の外観構成を示す正面図である。
【００１５】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４b1〜１４b6、訳／決定キー１４ｃ、ジャンプモードキー１４ｄ、筆順キー１４ｅ、カーソルキー１４fなどを備えた入力部１４、スピーカ１５Ｌ，１５Ｒ、ペン入力部１６が設けられる。
【００１６】
このペン入力部１６は、ユーザがペンや指等でタッチした位置を検出するタッチ位置検出装置と表示装置が一体となった構造であり、例えば、入力部１４の中央手前側において１２８×６４ドットの液晶表示画面に透明タブレットを重ねて構成される。このペン入力部１６の入力領域は、左右に１文字ずつ２文字分のペン入力表示エリア１６Ｌ，１６Ｒを有すると共に、このペン入力表示エリア１６Ｌ，１６Ｒにて入力表示されたペン入力文字（手書き文字）の文字認識をユーザが指示するための“認識”との文字がタブレット面に印刷された「認識」ボタン１６Ｎ、文字認識された文字の訂正や削除をユーザが指示するための“訂正”との文字がタブレット面に印刷された「訂正」ボタン１６Ｔを有する。このペン入力部１６のペン入力表示エリア１６Ｌ，１６Ｒでのペン入力（手書き入力）に伴う軌跡はその液晶表示画面にエコーバックして表示される。
【００１７】
また蓋体ケース１２の表面には、そのほぼ全域に例えば４８０×３２０ドットのバックライト付き表示部（液晶表示画面）１７が設けられる。
【００１８】
図２は、前記手書き入力機能付き電子辞書装置１０の電子回路の構成を示すブロック図である。
【００１９】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２０】
ＣＰＵ２１は、ＲＯＭ（フラッシュメモリ）２２内に予め記憶された装置制御プログラム、あるいはＲＯＭカードなどの外部記憶媒体２３から記憶媒体読取部２４を介して前記ＲＯＭ２２に読み込まれた装置制御プログラム、あるいはインターネットＮ上のＷｅｂサーバ（この場合はプログラムサーバ）３０から通信制御部２５を介して前記ＲＯＭ２２に読み込まれた装置制御プログラムに応じて、ＲＡＭ２６を作業用メモリとして回路各部の動作を制御する。
【００２１】
前記ＲＯＭ２２に記憶された装置制御プログラムは、入力部１４やペン入力部１６からのユーザ操作に応じた入力信号、あるいは通信制御部２５を介して接続されるインターネットＮ上の各Ｗｅｂサーバ３０…との通信信号、あるいは記憶媒体読取部２４を介して外部接続されるＥＥＰＲＯＭ，ＲＡＭ，ＲＯＭなどのメモリ・カード（記憶媒体）２３との接続通信信号に応じて起動される。
【００２２】
前記ＣＰＵ２１には、前記入力部１４、ペン入力部１６、ＲＯＭ２２、記憶媒体読取部２４、通信制御部２５、ＲＯＭ２６が接続される他に、表示部１７などが接続される。
【００２３】
ＲＯＭ２２には、当該電子辞書装置１０の全体の動作を司るシステムプログラムや通信制御部２５を介してインターネットＮ上の各Ｗｅｂサーバ３０…や図示しないユーザＰＣ(Personal Computer)などとデータ通信するための通信プログラムが記憶される他に、検索文字列の入力に応じた見出し語検索処理と指定の見出し語に対応した訳語・意味内容・例文（用例）などの各種説明情報の読み出し表示処理、また見出し語およびその説明情報を表示させた見出し語内容表示画面Ｇ（図４（Ｃ）参照）からのジャンプ辞書検索処理など、同ＲＯＭ２２内に記憶された辞書データ（複数辞書ＤＢ(Data Base)２２ｂおよび筆順辞書２２ｃ）に基づく検索処理全般を制御するための辞書検索プログラム２２ａとジャンプ検索プログラム２２ｄ、ペン入力部１６にてペン入力表示された手書きの文字を文字認識するためのペン入力文字認識プログラム２２ｅ、ペン入力部１６にてペン入力表示された手書きの文字の入力筆順を検出して記憶するための入力筆順記憶プログラム２２ｆなどが記憶される。
【００２４】
前記複数辞書ＤＢ(Data Base)２２ｂには、「国語辞書」「英和辞書」「和英辞書」「英英辞書」「英類語辞書」などと共に、「広○辞」、「漢○源」など、種類の異なる辞書データが予め、あるいはダウンロードされて複数辞書収録されて記憶される。
【００２５】
前記筆順辞書２２ｃには、前記複数辞書ＤＢ２２ｂに記憶された各辞書にて使用されている全ての漢字について、当該各漢字と各漢字それぞれの筆順を示す画像とが対応付けられて記憶される。
【００２６】
また、ＲＡＭ２６には、表示データメモリ２６ａ、入力文字メモリ２６ｂ、検索文字列メモリ２６ｃ、ワークエリア２６ｄなどが用意される。
【００２７】
表示データメモリ２６ａには、表示部１７の表示画面に対応した表示データの記憶領域とペン入力部１６の表示画面に対応した表示データの記憶領域とを有し、それぞれその表示画面に表示すべきデータがビットマップのパターンデータとして展開記憶される。
【００２８】
入力文字メモリ２６ｂには、前記辞書検索プログラム２２ａに従って前記入力部１４やペン入力部１６によりユーザ入力された数字・文字・記号などの入力データが記憶保持される。
【００２９】
検索文字列メモリ２６ｃには、辞書検索処理や筆順検索処理の対象として入力あるいは指定された文字や文字列が記憶される。
【００３０】
ワークエリア２６ｄには、前記ＲＯＭ２２に記憶された各種の装置制御プログラムに従いＣＰＵ２１に入出力される種々のデータが必要に応じて記憶される。
【００３１】
なお、表示部１７には、前記辞書検索処理や筆順検索処理の過程において、見出し語検索の一覧を表示する見出し語一覧表示画面Ｍや、当該見出し語一覧表示画面Ｍにて選択指定された所望の見出し語の説明情報を表示する見出し語内容表示画面Ｇや、当該見出し語内容表示画面Ｇにて指定された所望の漢字の筆順を表示する筆順表示画面Ｈなどが、適宜領域分割されて表示される。
【００３２】
次に、前記構成の手書き入力機能付き電子辞書装置１０の動作について説明する。
【００３３】
図３は、前記電子辞書装置１０の辞書検索に伴う第１実施形態の筆順表示処理を示すフローチャートである。
【００３４】
図４は、前記電子辞書装置１０の第１実施形態の筆順表示処理に伴う操作表示状態（その１）を示す図である。
【００３５】
通常の辞書検索操作により、例えば辞書指定キー１４b1を操作して所望の辞書を指定した後に、文字入力キー１４ａにより検索文字列「やまかじ」を入力して見出し語検索し、所望の見出し語「やまかじ［山火事］」に対応する説明情報が記述された見出し語内容表示画面Ｇ（図４（Ａ）参照）が表示された状態で（ステップＳ１）、当該見出し語内容表示画面Ｇの見出し語である「山火事」の筆順を調べるべく、ジャンプモードキー１４ｄが操作されたと判断されると（ステップＳ２（ＹＥＳ））、先ず、当該見出し語内容表示画面Ｇの先頭の１文字（この場合には「や」）が反転カーソルＣによりジャンプ検索の対象文字として識別表示される（ステップＳ３）。
【００３６】
ここで、前記反転カーソルＣを、前記筆順を調べたい見出し語の文字列「山火事」まで移動させるべく、カーソルキー「→」１４ｆが操作されたと判断されると（ステップＳ４→Ｓ５（ＹＥＳ））、当該反転カーソルＣにより識別表示される文字の位置がその都度カーソル操作の方向に移動されて表示され（ステップＳ６）、図４（Ａ）に示すように、前記所望の文字列「山火事」の「山」が反転カーソルＣにより識別表示される。
【００３７】
この反転カーソルＣにより指定表示された見出し語文字列「山火事」の筆順検索を実行するべく、決定キー１４ｃが操作されたと判断されると（ステップＳ４（ＹＥＳ））、その反転カーソルＣにより識別表示されている文字が漢字であるか否か判断される（ステップＳ７）。
【００３８】
ここで、反転カーソルＣにより識別表示されている文字が漢字であると判断された場合には（ステップＳ７（ＹＥＳ））、図４（Ｂ）に示すように、筆順辞書２２ｃおよび複数辞書ＤＢ２２ｂからなる各辞書名を一覧にしたジャンプ先辞書ウインドウＷが表示され、最上段に配列された筆順辞書２２ｃの辞書名「［Ａ］筆順」が反転カーソルＣにより識別表示される（ステップＳ１０）。
【００３９】
一方、前記ステップＳ７において、反転カーソルＣにより識別表示されている文字が漢字ではないと判断された場合には（ステップＳ７（ＮＯ））、筆順辞書２２ｃを含まない複数辞書ＤＢ２２ｂの各辞書名を一覧にしたジャンプ先辞書ウインドウＷが表示され、その最上段に配列された辞書名が反転カーソルＣにより識別表示される（ステップＳ８）。
【００４０】
この場合には、ジャンプ先辞書ウインドウＷから所望のジャンプ先辞書が選択されて通常のジャンプ検索処理が行われる（ステップＳ９）。
【００４１】
前記ステップＳ１０において、ジャンプ先辞書ウインドウＷの最上段の辞書名「［Ａ］筆順」が反転カーソルＣにより識別表示された状態で、決定キー１４ｃが操作されたと判断されると（ステップＳ１１（ＹＥＳ））、前記見出し語内容表示画面Ｇにて反転カーソルＣにより識別表示された漢字の文字から後に続く文字も漢字であるか否か判断される（ステップＳ１２）。
【００４２】
前記図４（Ａ）で示した見出し語内容表示画面Ｇにおいて、反転カーソルＣにより識別表示された文字「山」から後に続く文字「火」も漢字であると判断された場合には（ステップＳ１２（ＹＥＳ））、図４（Ｃ）に示すように、当該反転識別表示された文字「山」から漢字として連続している各文字「山」「火」「事」それぞれの筆順画像が、前記ジャンプ先辞書として決定された筆順辞書２２ｃから読み出され、筆順表示画面Ｈとして一覧にして表示される（ステップＳ１４）。
【００４３】
一方、前記ステップＳ１２において、見出し語内容表示画面Ｇにて反転カーソルＣにより識別表示された漢字の文字から後に続く文字が漢字ではないと判断された場合には（ステップＳ１２（ＮＯ））、当該反転識別表示されている漢字１文字だけの筆順画像が、前記ジャンプ先辞書として決定された筆順辞書２２ｃから読み出され筆順表示画面Ｈとして表示される（ステップＳ１３）。
【００４４】
なお、前記ステップＳ１０において、ジャンプ先辞書ウインドウＷの最上段の辞書名「［Ａ］筆順」が反転カーソルＣにより識別表示された状態で、ステップＳ１１において、決定キー１４ｃが操作されることなく、例えばカーソルキー「↓」１４ｆが操作されて他の辞書名の位置に反転カーソルＣが移動表示され（ステップＳ１１（ＮＯ））、この後に決定キー１４ｃが操作された場合には、これにより決定されたジャンプ先辞書によって前記見出し語内容表示画面Ｇ上で反転カーソルＣにより識別表示された文字列を見出し語とする通常のジャンプ辞書検索が行われる（ステップＳ２２）。
【００４５】
したがって、前記構成の電子辞書装置１０の辞書検索に伴う第１実施形態の筆順表示処理（ステップＳ１〜Ｓ１４）によれば、通常辞書検索に従い検索表示された見出し語内容表示画面Ｇにおいて、筆順を知りたい漢字がある場合には、当該所望の漢字に反転カーソルＣを移動表示させてジャンプモードキー１４ｄにより筆順辞書を先頭にしたジャンプ先辞書ウインドウＷを表示させ、決定キー１４ｃを操作するだけで、前記所望の漢字を先頭に漢字として連続する各文字それぞれの筆順画像が筆順表示画面Ｈとして検索表示されるので、前記見出し語内容表示画面Ｇにて表示されている複数漢字からなる漢字文字列であっても、従来の電子辞書装置のように漢和辞典を利用した単漢字毎の内容検索操作による筆順表示を行う必要なく、非常に簡単且つ素早く、見出し語などの複数漢字からなる文字列各文字の筆順を調べることができる。
【００４６】
図５は、前記電子辞書装置１０の第１実施形態の筆順表示処理に伴う操作表示状態（その２）を示す図である。
【００４７】
前記ステップＳ１において、図５（Ａ）に示すように、ユーザ所望の見出し語「やまかじ［山火事］」に対応した見出し語内容表示画面Ｇが表示された状態で、当該見出し語内容表示画面Ｇ内の任意の漢字についてその筆順を調べるべく、筆順キー１４ｅが操作されたと判断されると（ステップＳ１５（ＹＥＳ））、当該見出し語内容表示画面Ｇ内の表示文字について漢字が存在するか否か判断される（ステップＳ１６）。
【００４８】
ここで、前記見出し語内容表示画面Ｇ（図５（Ａ）参照）内の表示文字について漢字が存在すると判断された場合には（ステップＳ１６（ＹＥＳ））、図５（Ｂ）に示すように、当該見出し語内容表示画面Ｇ内に存在する最初の漢字「山」が反転カーソルＣにより識別表示されると共に、当該漢字「山」の筆順画像が前記筆順辞書２２ｃから読み出され、筆順表示画面Ｈとして前記見出し語内容表示画面Ｇと並行して表示される（ステップＳ１７）。
【００４９】
このように、見出し語内容表示画面Ｇと筆順表示画面Ｈとが並行にして表示された状態で、カーソルキー１４ｆが操作されたと判断された場合には（ステップＳ１８（ＹＥＳ））、現在、反転カーソルＣにより識別表示されている文字の位置から当該カーソルキー１４ｆにより指示された方向にある文字列について、漢字が存在するか否か判断される（ステップＳ１９）。
【００５０】
そして、前記図５（Ｂ）で示した反転カーソルＣが「山」の位置に表示されている見出し語内容表示画面Ｇにおいて、カーソルキー「→」１４ｆが操作されたことに伴い、当該カーソル操作「→」の方向に「火」の漢字が存在すると判断された場合には（ステップＳ１９（ＹＥＳ））、図５（Ｃ）に示すように、当該カーソル操作「→」の方向にある直近の漢字「火」が反転カーソルＣにより識別表示されると共に、当該漢字「火」の筆順画像が前記筆順辞書２２ｃから読み出され、筆順表示画面Ｈとして前記見出し語内容表示画面Ｇと並行して表示される（ステップＳ２０）。
【００５１】
この後、前記同様にカーソルキー１４ｆの操作により反転カーソルＣによる文字の識別表示位置を移動させると、当該反転カーソルＣの移動方向に存在する直近の漢字について、前記同様に筆順画像が読み出され筆順表示画面Ｈとして表示されるようになる（ステップＳ１８〜Ｓ２０）。
【００５２】
一方、前記ステップＳ１６において、表示中の見出し語内容表示画面Ｇについて、当該画面Ｇ内に漢字が存在しないと判断された場合には（ステップＳ１６（ＮＯ））、筆順検索の対象となる文字が存在しないことをユーザに報知するメッセージ「該当する候補が存在しません。」が表示部１７に表示される（ステップＳ２１）。
【００５３】
したがって、前記構成の電子辞書装置１０の辞書検索に伴う第１実施形態の筆順表示処理（ステップＳ１，Ｓ１５〜Ｓ２１）によれば、通常辞書検索に従い検索表示された見出し語内容表示画面Ｇにおいて、筆順キー１４ｅが操作された場合には、その後、当該見出し語内容表示画面Ｇ内で筆順を調べたい所望の漢字を選択しその位置に反転カーソルＣを移動操作して表示させるだけで、当該反転表示された漢字の筆順画像が筆順表示画面Ｈとして前記見出し語内容表示画面Ｇと並行して共に表示されるので、通常辞書検索された見出し語内容表示画面Ｇ内のユーザ任意の漢字について、カーソルキー１４ｆの操作だけにより非常に簡単に素早く、且つ直接的にその筆順を調べることができる。
【００５４】
前記第１実施形態では、通常辞書検索に伴う見出し語内容表示画面Ｇにおいて、反転カーソルＣにより識別表示させた漢字だけでなく、当該反転表示させた漢字から漢字として連続する文字列それぞれの漢字の筆順画像を簡単に検索表示する構成とした。
【００５５】
次に説明する第２実施形態では、手書きによる文字を文字認識させて検索対象の文字列（検索文字列）とする場合に、当該検索文字個々の前記手書きによる筆順の正誤を判別して記録する。そして、前記検索文字列に対応する見出し語を検索して見出し語内容表示画面Ｇを表示させる際に、当該見出し語の検索元である前記検索文字列を入力した手書き文字についてその筆順の誤りが記録されていた場合には、同見出し語内容表示画面Ｇと共に正しい筆順を示す筆順表示画面Ｈを並行して表示させる構成とする。
【００５６】
（第２実施形態）
図６は、前記電子辞書装置１０の辞書検索に伴う第２実施形態の筆順表示処理を示すフローチャートである。
【００５７】
見出し語検索モードにおける検索文字列の入力待ち状態において（ステップＡ１（ＹＥＳ））、ペン入力部１６に対し手書きによる文字がペン入力されると（ステップＡ２（ＹＥＳ））、当該ペン入力された手書き文字が文字認識されてその入力候補文字の一覧が同ペン入力部１６に表示される（ステップＡ３）。
【００５８】
そして、前記入力候補文字の一覧表示画面において、前記手書き文字に相当する所望の候補文字がペンタッチにより選択されて指定されると（ステップＡ４（ＹＥＳ））、この指定された候補文字がＲＡＭ２６内の検索文字列メモリ２６ｃに記憶され表示部１７に表示させた検索文字入力エリアに表示される（ステップＡ５）。
【００５９】
この手書き入力による検索文字の入力に際しては、当該手書き入力時のユーザの筆順が認識されるもので、この筆順認識された手書き入力時のユーザ筆順データは前記検索文字列メモリ２６ｃに記憶された検索文字に対応付けられて記憶される。
【００６０】
すると、今回の手書き入力により文字認識され候補選択されて検索文字列メモリ２６ｃに記憶された検索文字が漢字であるか否か判断され、漢字であると判断された場合には当該検索文字について筆順辞書２２ｃから検索された正規の筆順とユーザの筆順が異なるか（誤り）否か（正しい）判断される（ステップＡ６）。
【００６１】
ここで、前記入力された検索文字に対応する手書き入力時のユーザの筆順が誤りであると判断された場合には（ステップＡ６（ＹＥＳ））、検索文字列メモリ２６ｃに記憶された当該検索文字に対応付けられて筆順表示フラグがセットされる（ステップＡ７）。
【００６２】
この後、前記同様に手書き文字入力による検索文字の入力処理が繰り返され、ユーザ所望の検索文字列が入力表示されて記憶される（ステップＡ２〜Ａ８）。
【００６３】
そして、所望の検索文字列が入力表示されたとして決定キー１４ｃが操作されたと判断されると（ステップＡ８（ＹＥＳ））、当該検索文字列に対応した見出し語がユーザ指定の辞書ＤＢ２２ｂから検索され（ステップＡ９）、該当する見出し語が検索されたか否か判断される（ステップＡ１０）。
【００６４】
ここで、前記入力された検索文字列に該当する見出し語が辞書ＤＢ２２ｂから検索されたと判断されると（ステップＡ１０（ＹＥＳ））、この検索された見出し語を一覧にした見出し語一覧表示画面Ｍが表示部１７に表示される（ステップＡ１１）。
【００６５】
この見出し語一覧表示画面Ｍにおいて、カーソルキー１４ｆのユーザ操作に応じて所望の見出し語が選択され指定されると（ステップＡ１２（ＹＥＳ））、この指定された見出し語に対応する説明情報が前記辞書ＤＢ２２ｂから読み出されて見出し語内容表示画面Ｇが生成され、例えば図５（Ａ）に示すように表示部１７に表示される。この際、見出し語内容表示画面Ｇに表示された見出し語の検索元となる前記検索文字列メモリ２６ｃに記憶された検索文字列について、その何れかの検索文字に前記筆順表示フラグがセットされていた場合には、このフラグセットされた検索文字に対応する筆順画像が筆順辞書２２ｃから検索され、例えば図５（Ｂ）に示すような筆順表示画面Ｈとして前記見出し語内容表示画面Ｇと共に表示される（ステップＡ１３）。
【００６６】
例えば「山火事」と手書き入力して文字認識させ、検索文字列として入力表示させた後に（ステップＡ２〜Ａ８）、当該検索文字列に該当する見出し語一覧から所望の見出し語「やま-かじ［山火事］」が選択された場合に（ステップＡ９〜Ａ１２）、当該見出し語「山火事」の「山」を前記検索文字として手書き入力した際のユーザの筆順に誤りがあった場合には、図５（Ｂ）で示したように、選択された見出し語「やま-かじ［山火事］」に対応する見出し語内容表示画面Ｇと共に、当該手書きの筆順に誤りのあった「山」の正規の筆順を表記した筆順表示画面Ｈが共に並行表示されるようになる。また同様に、前記見出し語「山火事」の「火」を前記検索文字として手書き入力した際のユーザの筆順に誤りがあった場合には、図５（Ｃ）で示したように、選択された見出し語「やま-かじ［山火事］」に対応する見出し語内容表示画面Ｇと共に、当該手書きの筆順に誤りのあった「火」の正規の筆順を表記した筆順表示画面Ｈが共に並行表示されるようになる。
【００６７】
したがって、前記構成の電子辞書装置１０の辞書検索に伴う第２実施形態の筆順表示処理によれば、見出し語検索モードにおいて、ペン入力部１６にて手書き入力された文字を文字認識してその認識候補を選択し、検索対象の文字として検索文字列メモリ２６ｃに記憶させ検索文字入力エリアに表示させる際に、前記手書き入力時の筆順を認識しユーザ筆順データとして検索文字列メモリ２６ｃの検索文字に対応付けて記憶する。そして、入力された検索文字列に該当する見出し語を辞書ＤＢ２２ｂから検索し、その説明情報が表記された見出し語内容表示画面Ｇを表示させるのに伴い、当該見出し語の検索元である検索文字に対応付けられた前記ユーザ筆順データが、筆順辞書２２ｃから検索された同検索文字の正規の筆順と異なる場合には、この正規の筆順を表記した筆順表示画面Ｈをも共に表示させて、前記手書き入力時の筆順誤りをユーザに報知する。
【００６８】
これにより、辞書検索に伴い手書き入力した検索文字の筆順の誤りを、何ら特別の操作を要することなく、非常に簡単に知ることができる。
【００６９】
なお、前記各実施形態において記載した電子辞書装置１０による各処理の手法、すなわち、図３のフローチャートに示す辞書検索に伴う第１実施形態の筆順表示処理、図６のフローチャートに示す辞書検索に伴う第２実施形態の筆順表示処理などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、筆順辞書を含む辞書データベースを有する電子辞書装置のコンピュータは、この外部記憶媒体２３に記憶されたプログラムをＲＯＭ２２に読み込み、この読み込んだプログラムによって動作が制御されることにより、前記各実施形態において説明した辞書検索に伴う筆順表示機能を実現し、前述した手法による同様の処理を実行することができる。
【００７０】
また、前記各手法を実現するためのプログラムのデータは、プログラムコードの形態としてネットワークＮ上を伝送させることができ、このプログラムデータを、ネットワークＮに接続された筆順辞書を含む辞書データベースを有する電子辞書装置のコンピュータに通信制御部２５によって取り込むことで、前述した辞書検索に伴う筆順表示機能を実現することもできる。
【００７１】
また、上記した実施形態では、本発明の辞書機能を備えた電子装置を電子辞書装置に適用した場合について説明したが、本発明を適用可能な製品はこのような製品に限定されるものではなく、辞書機能を備えたものであれば、携帯電話、パソコン、電子時計、電子玩具等の電子機器全般に適用可能である。
【００７２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７３】
【図１】本発明の実施形態に係る手書き入力機能付き電子辞書装置１０の外観構成を示す正面図。
【図２】前記手書き入力機能付き電子辞書装置１０の電子回路の構成を示すブロック図。
【図３】前記電子辞書装置１０の辞書検索に伴う第１実施形態の筆順表示処理を示すフローチャート。
【図４】前記電子辞書装置１０の第１実施形態の筆順表示処理に伴う操作表示状態（その１）を示す図。
【図５】前記電子辞書装置１０の第１実施形態の筆順表示処理に伴う操作表示状態（その２）を示す図。
【図６】前記電子辞書装置１０の辞書検索に伴う第２実施形態の筆順表示処理を示すフローチャート。
【符号の説明】
【００７４】
１０  …電子辞書装置
１１  …本体ケース
１２  …蓋体ケース
１３  …ヒンジ部
１４  …入力部
１４ａ…文字入力キー
１４b1〜１４b6…辞書指定キー
１４ｃ…決定キー
１４ｄ…ジャンプモードキー
１４ｅ…筆順キー
１４ｆ…カーソルキー
１５Ｌ，１５Ｒ…スピーカ
１６  …ペン入力部
１６Ｌ，１６Ｒ…ペン入力表示エリア
１６Ｔ…「訂正」ボタン
１６Ｎ…「認識」ボタン
１７  …表示部（画面）
２１  …ＣＰＵ
２２  …ＲＯＭ
２２ａ…辞書検索プログラム
２２ｂ…複数辞書ＤＢ
２２ｃ…筆順辞書
２２ｄ…ジャンプ検索プログラム
２２ｅ…ペン入力文字認識プログラム
２２ｆ…入力筆順記憶プログラム
２３  …外部記憶媒体
２４  …記憶媒体読取部
２５  …通信制御部
２６  …ＲＡＭ
２６ａ…表示データメモリ
２６ｂ…入力文字メモリ
２６ｃ…検索文字列メモリ
２６ｄ…ワークエリア
３０  …Ｗｅｂサーバ
Ｎ    …通信ネットワーク（インターネット）
Ｍ    …見出し語一覧表示画面
Ｇ    …見出し語内容表示画面
Ｈ    …筆順表示画面
Ｗ    …ジャンプ先辞書ウインドウ
Ｃ    …反転カーソル
【図１】
2009026007.tif 000003
【図２】
2009026007.tif 000004
【図３】
2009026007.tif 000005
【図４】
2009026007.tif 000006
【図５】
2009026007.tif 000007
【図６】
2009026007.tif 000008